(57)【特許請求の範囲】
【請求項１】
通信条件および通信機能の設定内容を入力するための設定入力手段と、
その設定入力手段から入力された連続する設定内容からなる操作手順を記憶する記憶手段と、
その記憶手段に記憶されている操作手順を読み出し、その操作手順を実行する実行手段と、
通信回線との回線接続を行う回線接続手段と、
その回線接続手段による通信回線との回線接続を切断させる回線切断手段と、
前記記憶手段に記憶されている操作手順の設定内容を報知するための報知手段と、
前記記憶手段に記憶されている操作手順の確認動作を指示するための指示手段と、
その指示手段により操作手順の確認動作が指示されると、前記回線切断手段により通信回線との回線接続を一旦切断させた状態で、前記記憶手段に記憶されている操作手順を読み出し、その操作手順の設定内容を報知手段により報知させる確認動作を実行する確認手段とを備えたことを特徴とする通信装置。
【請求項２】
請求項１に記載の通信装置における前記各手段としてコンピュータシステムを機能させるためのプログラム。
【請求項３】
請求項１に記載の通信装置における前記各手段としてコンピュータシステムを機能させるためのプログラムが記録されたコンピュータで読み取り可能な記録媒体。
【発明の詳細な説明】
【０００１】
【発明の属する技術分野】
本発明は通信装置、プログラム、記録媒体に係り、詳しくは、電話機やファクシミリなどの通信装置と、その通信装置を実現するようにコンピュータシステムを機能させるためのプログラム、そのプログラムが記録されたコンピュータで読み取り可能な記録媒体に関するものである。
【０００２】
【従来の技術】
従来より、一連の操作内容からなる操作手順を予め登録しておき、その操作手順を後で呼び出して実行させることが可能なマクロ機能を備えた各種通信機器（電話機やファクシミリなど）が種々提案されている。
このようなマクロ機能を備えた通信機器によれば、複雑な操作内容を予め登録しておけば、後は簡単なボタン（キー）操作で複雑な操作内容を実行させることができるため、操作に伴うユーザーの負担が軽減されることから、近年、普及がすすんでいる。
マクロ機能を備えた通信機器においては、マクロ機能を用いて登録された連続する一連の操作内容に誤りがあると正常な通信が行われないため、一連の操作内容を登録したら、その登録が正確に行われているかどうかを確認する必要がある。
【０００３】
【発明が解決しようとする課題】
しかしながら、従来の通信機器では、マクロ機能を用いて登録された連続する操作内容を確認する際に、通信回線（公衆電話回線）との回線接続を行うため、確認中にも通信回線の使用料金（電話料金）が課金されて無駄な通信コストをユーザーに強いることから、このような無駄な通信コストを削減することが要求されている。
また、従来の通信機器には、マクロ機能を用いて登録された連続する操作内容からなる操作手順を、予め指定された日時に自動的に実行させる機能が備えられていなかったが、近年、このようなスケジュール管理（スケジューラ）の機能が要求されている。
【０００４】
本発明は上記要求を満足するためになされたものであって、以下の目的を有するものである。
(1)マクロ機能を用いて登録された連続する操作内容を確認する際の通信コストを削減することが可能な通信装置を提供する。
(2)マクロ機能を用いて登録された連続する操作内容を予め指定された日時に自動的に実行させることが可能な通信装置を提供する。
(3)上記(1)または(2)の通信装置を実現するようにコンピュータシステムを機能させるためのプログラムを提供する。
(4)上記(1)または(2)の通信装置を実現するようにコンピュータシステムを機能させるためのプログラムが記録されたコンピュータで読み取り可能な記録媒体を提供する。
【０００５】
【課題を解決するための手段および発明の効果】
（請求項１：第１実施形態に該当）
係る目的を達成するためになされた請求項１に記載の通信装置は、通信条件および通信機能の設定内容を入力するための設定入力手段と、その設定入力手段から入力された連続する設定内容からなる操作手順を記憶する記憶手段と、その記憶手段に記憶されている操作手順を読み出し、その操作手順を実行する実行手段と、通信回線との回線接続を行う回線接続手段と、その回線接続手段による通信回線との回線接続を切断させる回線切断手段と、前記記憶手段に記憶されている操作手順の設定内容を報知するための報知手段と、前記記憶手段に記憶されている操作手順の確認動作を指示するための指示手段と、その指示手段により操作手順の確認動作が指示されると、前記回線切断手段により通信回線との回線接続を一旦切断させた状態で、前記記憶手段に記憶されている操作手順を読み出し、その操作手順の設定内容を報知手段により報知させる確認動作を実行する確認手段とを備えている。
【０００６】
従って、請求項１に記載の通信装置によれば、指示手段により操作手順の確認動作が指示されると、回線切断手段により通信回線との回線接続が一旦切断された状態で、記憶手段に記憶されている操作手順が読み出され、その操作手順の設定内容が報知手段によりユーザーに報知される。つまり、請求項１に記載の通信装置は、連続する設定内容からなる操作手順を記憶して登録しておき、その登録されている操作手順を後で読み出して実行するマクロ機能を備えている。
そして、マクロ機能を用いて記憶手段に記憶されて登録された操作手順の設定内容をユーザーが確認する際に、通信回線との回線接続が切断されるため、その確認中に通信回線の使用料金（回線接続料金）が無駄に課金されることがなく、その無駄な課金が回避されることから通信コストを削減することができる。
【０００７】
【０００８】
【０００９】
次に、請求項２に記載のプログラムは、請求項１に記載の通信装置における前記各手段としてコンピュータシステムを機能させるためのプログラムを提供するものである。
つまり、請求項１に記載の通信装置における前記各手段を実現するための機能は、コンピュータシステムで実行されるプログラムとして備えることができる。
【００１０】
次に、請求項３に記載の記録媒体は、請求項１に記載の通信装置における前記各手段としてコンピュータシステムを機能させるためのプログラムが記録されたコンピュータで読み取り可能な記録媒体を提供するものである。
このようなプログラムの場合、例えば、ＲＯＭやバックアップＲＡＭをコンピュータで読み取り可能な記録媒体として前記プログラムを記録しておき、このＲＯＭあるいはバックアップＲＡＭをコンピュータシステムに組み込んで用いることができる。
この他、半導体メモリ（スマートメディア，メモリスティックなど），ハードディスク，フロッピーディスク，データカード（ＩＣカード，磁気カードなど），光ディスク（ＣＤ−ＲＯＭ，ＣＤ−Ｒ，ＣＤ−ＲＷ，ＤＶＤなど），光磁気ディスク（ＭＯなど），相変化ディスク，磁気テープなどのコンピュータで読み取り可能な記録媒体に前記プログラムを記録しておき、そのプログラムを必要に応じてコンピュータシステムにロードして起動することにより用いてもよい。ところで、前記記録媒体の具体例の名称には登録商標が含まれる。
【００１１】
【発明の実施の形態】
（第１実施形態）
［第１実施形態の主要構成］
以下、本発明を具体化した第１実施形態について図面を参照して説明する。
図１は、ＮＴＴ社が提供する「Ｌモード」と呼ばれる情報サービスにおける通信システム１０の概略構成を示すブロック図である。
Ｌモードにおける通信システム１０は、Ｌモード対応の各種通信機器１１、インターネット網１２、インターネット網１２に接続された各種通信機器１３、情報提供者の通信機器１４、公衆電話回線１５、Ｌモードゲートウェイ１６などから構成されている。
【００１２】
Ｌモード対応の各種通信機器１１には、例えば、Ｌモード対応の電話機やファクシミリ、ＩＣカード公衆電話機などがある。
ＷＷＷサーバ（図示略）を介してインターネット網１２に接続された各種通信機器１３には、例えば、パーソナルコンピュータや携帯電話機などがある。
通信機器１４を用いて各種情報（日々の生活に役立つ情報、地域に密着した情報）を提供する情報提供者（例えば、天気予報提供者（日本気象協会など）、銀行、証券会社、新聞社、販売店など）は、ＮＴＴ社が提供するＬメニューリストに登録されている。
尚、通信機器１４を用いて各種情報を提供する情報提供者や、各種通信機器１３の使用者が提供する情報やサービスの内容は「コンテンツ」と総称される。また、ＮＴＴ社が提供するＬメニューリストに登録されていない各種通信機器１３の使用者が提供する情報やサービスの内容は「一般コンテンツ」と呼ばれる。
【００１３】
各通信機器１１，１３，１４およびインターネット網１２は、公衆電話回線１５を介して、ＮＴＴ社が設置しているＬモードゲートウェイ１６に接続されている。
そして、Ｌモード対応の各種通信機器１１は、第１経路（公衆電話回線１５→Ｌモードゲートウェイ１６→公衆電話回線１５）または第２経路（公衆電話回線１５→Ｌモードゲートウェイ１６→公衆電話回線１５→インターネット網１２→公衆電話回線１５）を通じて情報提供者の通信機器１４と各種情報および電子メールを送受信することができる。
また、Ｌモード対応の各種通信機器１１は、インターネット網１２に接続された各種通信機器１３と前記第２経路を通じて各種情報および電子メールを送受信することができる。
尚、Ｌモードゲートウェイ１６は、実際には、ＮＴＴ西日本社とＮＴＴ東日本社にそれぞれ１つずつ設けられて互いに接続されている。
【００１４】
図２は、Ｌモード対応の各種通信機器１１の一例であるＬモード対応ファクシミリの本体２０の外観を示す平面図である。
Ｌモード対応ファクシミリの本体２０には、表示器２１および多数のボタン（キー）類２２が配設されており、ハンドセット（図示略）が接続されると共に、本体２０を親機とするコードレスホンの子機（図示略）が別体に設けられている。
表示器２１は、例えば、液晶ディスプレイやプラズマディスプレイなどから構成されている。表示器２１には、Ｌモードゲートウェイ１６と本体２０との回線が接続中であることを示すピクトグラム、回線接続が切断されたことを示すメッセージ文（例えば「切断されました」など）、予め設定された待ち受け画面などが表示される。
【００１５】
ボタン類２２を構成する各ボタンには、ダイヤルボタンを構成するテンキー、各種操作（例えば、留守番電話の設定・解除、スピーカ再生、保留または子機への切替など）を行うための各種機能ボタン、電子メールに関する操作を行う際に用いられるＥメールボタン２２ａ、Ｌモードに関する操作を行う際に用いられるＬボタン２２ｂ、表示器２１に表示されるカーソル（図示略）を上下左右に移動させるカーソル移動ボタン（スクロールボタン）２２ｃ、本体２０とＬモードゲートウェイ１６との公衆電話回線１５を介した回線接続を切断させるための通信終了ボタン２２ｄなどがある。
【００１６】
図３は、Ｌモード対応ファクシミリの本体２０の電気的構成を示すブロック回路図である。
Ｌモード対応ファクシミリの本体２０には、表示器２１、ボタン類２２、パネルＧＡ（Gate Array）４１、モータ４２、サーマルヘッド４３、スキャナ４４、センサ類４５、ＡＦＥ（Analog Front End）４６、メロディＩＣ（Integrated Circuit）４７、スピーカ４８、ＲＴＣ（Real Time Clock）４９、ＲＯＭ５０、ＲＡＭ５１、ＥＥＰＲＯＭ５２、子
機用高周波（ＲＦ：Radio Frequency）ユニット５３、クロスポイントスイッチ５４、ハンドセット５５、ＮＣＵ５６、ＣＰＵ５７、記録回路５８、読取回路５９、ＦＡＸ・データモデム６０などが備えられている。
【００１７】
ＣＰＵ５７は、親機としての本体２０および子機（図示略）を含めたＬモード対応ファクシミリ全体の動作を制御する。ＣＰＵ５７には、記録回路５８、読取回路５９、パネルＧＡ４１、ＦＡＸ・データモデム６０、ＡＦＥ４６、ＲＴＣ４９、ＲＯＭ５０、ＲＡＭ５１、ＥＥＰＲＯＭ５２、子機用ＲＦユニット５３が接続されている。
尚、ＣＰＵ５７，記録回路５８，読取回路５９，ＦＡＸ・データモデム６０は１チップＩＣ６１によって構成され、その１チップＩＣ６１は１チップＦＡＸエンジンと呼ばれる。
【００１８】
記録回路５８は、ＣＰＵ５７の制御処理に従い、プリンタを構成するモータ４２およびサーマルヘッド４３の動作を制御する。モータ４２は、Ｌモード対応ファクシミリの本体２０に印刷用紙を供給排出するために移動させる。サーマルヘッド４３は、感熱紙からなる印刷用紙に印刷を行う。尚、サーマルヘッド４３をインクジェットヘッドやレーザーエンジンに置き代えてもよい。
読取回路５９は、ＣＰＵ５７の制御に従い、スキャナ４４の動作を制御する。スキャナ４４は、原稿に印刷されている文字や画像を読み取り、その文字や画像のデータを読取回路５９へ出力する。
センサ類４５は、印刷用紙がセットされていることを検出する印刷用紙検出センサ、ハンドセット５５がセットされていることを検出するハンドセット検出センサなど、本体２０に備えられた各種センサから構成されている。
パネルＧＡ４１は、ボタン類２２および表示器２１とＣＰＵ５７との間でデータ信号の仲介を行うためのインタフェースとして機能する。
【００１９】
ＦＡＸ・データモデム６０は、ファクシミリの送受信データの変復調を行うと共に、Ｌモードにおける各種情報および電子メールの送受信データの変復調を行う。ＡＦＥ４６は、メロディＩＣ４７およびクロスポイントスイッチ５４とＣＰＵ５７およびＦＡＸ・データモデム６０との間でデータ信号のサンプリングおよび変換を行う。
メロディＩＣ４７は、ＣＰＵ５７の制御処理に従い、所定のデータフォーマット仕様（例えば、ＳＭＡＦ（Synthetic Music Mobile Application Format）など）に基づいて着信音として機能するメロディ（着信メロディ）を生成し、スピーカ４８を駆動して当該着信メロディを発音させる。
【００２０】
ＲＴＣ４９は、現在の時刻および年月日を計測し、それらのデータをＣＰＵ５７へ出力する。ＲＯＭ５０は、ＣＰＵ５７が各種制御を実行するための各種制御プログラムを記憶している。ＲＡＭ５１は、ＣＰＵ５７の作業領域や各種データの展開領域を提供する。
ＥＥＰＲＯＭ５２は、電話やファクシミリの送信先の電話番号、電子メールの送信先やインターネット網１２に接続された各種通信機器１３，１４のＵＲＬ（Uniform Resource Locator）などを記憶している。
【００２１】
子機用ＲＦユニット５３は、コードレスホンの子機（図示略）と親機である本体２０とを無線回線を通じて接続するために、ＣＰＵ５７と子機との間でデータ信号を無線で送受信する。
クロスポイントスイッチ５４は、子機用ＲＦユニット５３、ＮＣＵ５６、電話の送受話器からなるハンドセット５５、ＡＦＥ４６のそれぞれの間で転送されるデータ信号を切り替えて仲介する。
ＮＣＵ５６は、公衆電話回線１５に接続されて網制御を行い、公衆電話回線１５に対するダイヤル信号を送り出すと共に、公衆電話回線１５からの呼出信号に対する応答などを行う。
【００２２】
［第１実施形態でＣＰＵ５７が実行する主な制御処理］
図４〜図６は、本第１実施形態においてＣＰＵ５７が実行する主な制御処理の流れを示すフローチャートである。
ＣＰＵ５７は、ＲＯＭ５０に記録（記憶）されているプログラムに従い、コンピュータによる各種演算処理によって、以下の各ステップ（以下、「Ｓ」と記載する）の処理を実行する。尚、ＣＰＵ５７は、以下の各ステップの処理が実行される前に、Ｌモードゲートウェイ１６とＮＣＵ５６との公衆電話回線１５を介した回線を接続させておく。
【００２３】
尚、前記プログラムをコンピュータで読み取り可能な記録媒体（半導体メモリ（メモリスティックなど）、ハードディスク、フロッピーディスク、データカード（ＩＣカード，磁気カードなど）、光ディスク（ＣＤ−ＲＯＭ，ＣＤ−Ｒ，ＣＤ−ＲＷ，ＤＶＤなど）、光磁気ディスク（ＭＯなど）、相変化ディスク、磁気テープなど）を備えた外部記録装置（外部記憶装置）に記録（記憶）しておき、当該プログラムを必要に応じて外部記録装置からＣＰＵ５７にロードして起動することにより用いるようにしてもよい。ところで、前記記録媒体の具体例の名称には登録商標が含まれる。
【００２４】
ＣＰＵ５７は、まず、パネルＧＡ４１または子機用ＲＦユニット５３から転送されてくるデータ信号に基づいて、ボタン類２２を構成するいずれかのボタン（キー）または子機に配設されたボタン類（図示略）を構成するいずれかのボタン（キー）が操作されたかどうかを判定し（Ｓ１０）、操作されるまで待ち、いずれかのボタンが操作されたら（Ｓ１０：Ｙｅｓ）、操作されたボタンが「マクロ登録開始ボタン」かどうかを判定し（Ｓ１２）、操作されたボタンがマクロ登録開始ボタンでない場合は（Ｓ１２：Ｎｏ）、操作されたボタンが通信終了ボタン２２ｄかどうかを判定し（Ｓ１４）、操作されたボタンが通信終了ボタン２２ｄの場合は（Ｓ１４：Ｙｅｓ）、ＮＣＵ５６とＬモードゲートウェイ１６との公衆電話回線１５を介した回線接続を切断させる（Ｓ１６）。
【００２５】
ここで、「マクロ登録開始ボタン」として専用のボタンを設けておいてもよく、ボタン類２２を構成する各ボタンまたは子機に配設されたボタン類のうち任意のものを「マクロ登録開始ボタン」と兼用してもよい。
また、ＣＰＵ５７は、ＮＣＵ５６とＬモードゲートウェイ１６との公衆電話回線１５を介した回線接続を切断させるのと同時に、パネルＧＡ４１を介して表示器２１を制御し、それまで表示器２１に表示されていた回線が接続中であることを示すピクトグラムの表示を消させると共に、回線接続が切断されたことを示すメッセージ文（「切断されました」）を新たに表示させる。
次に、ＣＰＵ５７は、パネルＧＡ４１を介して表示器２１を制御し、予め設定された待ち受け画面を表示器２１に表示させ（Ｓ１８）、その後に処理を終了する。
【００２６】
そして、ＣＰＵ５７は、Ｓ１４の処理で操作されたボタンが通信終了ボタン２２ｄでないと判定した場合は（Ｓ１４：Ｎｏ）、操作されたボタンに対応する制御コマンドを生成し、その制御コマンドをＡＦＥ４６からクロスポイントスイッチ５４を介してＮＣＵ５６へ転送し、ＮＣＵ５６から公衆電話回線１５を介してＬモードゲートウェイ１６へ送信する（Ｓ２０）。
すると、Ｌモードゲートウェイ１６は各種通信機器１１，１３，１４から提供される各種情報の中から、ＣＰＵ５７がＳ２０の処理で生成した制御コマンドに対応する各種情報が選択され、その各種情報が公衆電話回線１５からＮＣＵ５６へ転送される。
【００２７】
続いて、ＣＰＵ５７は、Ｓ２０の処理で生成した制御コマンドに応答する各種情報がＬモードゲートウェイ１６から公衆電話回線１５を介してＮＣＵ５６によって取得されたかどうかを判定し（Ｓ２２）、取得完了されるまで待ち、取得完了されたら（Ｓ２２：Ｙｅｓ）、パネルＧＡ４１を介して表示器２１を制御し、その取得された各種情報のデータを表示器２１に表示させ（Ｓ２４）、その後にＳ１０の処理に戻る。
【００２８】
そして、ＣＰＵ５７は、Ｓ１２の処理で操作されたボタンがマクロ登録開始ボタンであると判定した場合は（Ｓ１２：Ｙｅｓ）、マクロ登録開始ボタンに続いて操作されたボタンについて、そのボタンの操作をＲＡＭ５１内に設定されたマクロ用ファイルに記憶保存させる（Ｓ２６）。
次に、ＣＰＵ５７は、マクロ登録開始ボタンに続いて操作されたボタンに対応する制御コマンドを生成し、その制御コマンドをＡＦＥ４６からクロスポイントスイッチ５４を介してＮＣＵ５６へ転送し、ＮＣＵ５６から公衆電話回線１５を介してＬモードゲートウェイ１６へ送信する（Ｓ２８）。
【００２９】
続いて、ＣＰＵ５７は、Ｓ２８の処理で生成した制御コマンドに応答する各種情報がＬモードゲートウェイ１６から公衆電話回線１５を介してＮＣＵ５６によって取得されたかどうかを判定し（Ｓ３０）、取得完了されるまで待ち、取得完了されたら（Ｓ３０：Ｙｅｓ）、その取得された各種情報のデータを表示器２１に表示させる（Ｓ３２）。
次に、ＣＰＵ５７は、Ｓ３２の処理で表示器２１に表示させた画面データ（画像データ）を、操作マクロ確認用データとしてＲＡＭ５１内のマクロ用ファイルに記憶保存させる（Ｓ３４）。
【００３０】
そして、ＣＰＵ５７は、ボタン類２２を構成するいずれかのボタンまたは子機に配設されたボタン類を構成するいずれかのボタンが操作されたかどうかを判定し（Ｓ３６）、操作されるまで待ち、いずれかのボタンが操作されたら（Ｓ３６：Ｙｅｓ）、操作されたボタンが「マクロ登録終了ボタン」かどうかを判定し（Ｓ３８）、操作されたボタンがマクロ登録終了ボタンでない場合は（Ｓ３８：Ｎｏ）、Ｓ２６の処理に戻る。
ここで、「マクロ登録終了ボタン」として専用のボタンを設けておいてもよく、ボタン類２２を構成する各ボタンまたは子機に配設されたボタン類のうち任意のものを「マクロ登録終了ボタン」と兼用してもよい。
【００３１】
このように、マクロ登録終了ボタンが操作されるまで（Ｓ３８の処理結果がＹｅｓになるまで）、Ｓ２６〜Ｓ３６の処理が繰り返されることにより、マクロ登録開始ボタンに続いて操作された一連のボタンについて、その連続した操作内容（設定内容）からなる操作手順がＲＡＭ５１内のマクロ用ファイルに順次記憶保存される。
尚、マクロ用ファイルに記憶させる操作手順は、例えば、スクリプト言語を用いて記述すればよい。
【００３２】
そして、ＣＰＵ５７は、Ｓ３８の処理で操作されたボタンがマクロ登録終了ボタンであると判定した場合は（Ｓ３８：Ｙｅｓ）、パネルＧＡ４１を介して表示器２１を制御し、ＲＡＭ５１内のマクロ用ファイルに記憶保存されている操作手順を確認するかどうかをＬモード対応ファクシミリのユーザーに問うためのメッセージ文（例えば「操作手順の確認をしますか？」など）またはピクトグラムを表示器２１に表示させる（Ｓ４０）。
次に、ＣＰＵ５７は、ＮＣＵ５６とＬモードゲートウェイ１６との公衆電話回線１５を介した回線接続を切断させる（Ｓ４２）。
【００３３】
続いて、ＣＰＵ５７は、ボタン類２２を構成するいずれかのボタンまたは子機に配設されたボタン類を構成するいずれかのボタンが操作されたかどうかを判定し（Ｓ４４）、操作されるまで待ち、いずれかのボタンが操作されたら（Ｓ４４：Ｙｅｓ）、操作されたボタンが「操作手順確認ボタン」かどうかを判定し（Ｓ４６）、操作されたボタンが操作手順確認ボタンの場合は（Ｓ４６：Ｙｅｓ）、後述する操作手順確認表示処理（Ｓ４８）を実行する。
ここで、「操作手順確認ボタン」として専用のボタンを設けておいてもよく、ボタン類２２を構成する各ボタンまたは子機に配設されたボタン類のうち任意のものを「操作手順確認ボタン」と兼用してもよい。
【００３４】
そして、ＣＰＵ５７は、Ｓ４６の処理で操作されたボタンが操作手順確認ボタンでないと判定した場合（Ｓ４６：Ｎｏ）または操作手順確認表示処理（Ｓ４８）が終了した場合は、予め設定された待ち受け画面を表示器２１に表示させ（Ｓ５０）、その後に処理を終了する。
【００３５】
図７は、操作手順確認表示処理（図６に示すＳ４８）の流れを示すフローチャートである。
まず、ＣＰＵ５７は、Ｓ３４の処理でＲＡＭ５１内のマクロ用ファイルに記憶保存された操作マクロ確認用データ（Ｓ３２の処理で表示器２１に表示させた画面データ）を１画面分読み出し、パネルＧＡ４１を介して表示器２１を制御して、その操作マクロ確認用データを表示器２１に所定時間だけ表示させる（Ｓ１０２）。
ここで、当該所定時間は、Ｌモード対応ファクシミリのユーザーが表示器２１の表示内容を確実に視認するのに十分な時間（例えば、数秒間）に設定しておけばよく、ボタン類２２の操作により当該所定時間をユーザーが自由に設定可能にしてもよい。
【００３６】
そして、ＣＰＵ５７は、ＲＡＭ５１内のマクロ用ファイルに記憶保存されている操作マクロ確認用データが全て読み出されたかどうかを判定し（Ｓ１０４）、全て読み出されていない場合（Ｓ１０４：Ｎｏ）はＳ１０２の処理に戻り、全て読み出された場合（Ｓ１０４：Ｙｅｓ）は図６に示すＳ５０の処理へ移行する。
このように、ＲＡＭ５１内のマクロ用ファイルに記憶保存されている操作マクロ確認用データが全て読み出されるまで（Ｓ１０４の処理結果がＹｅｓになるまで）、Ｓ１０２およびＳ１０４の処理が繰り返されることにより、Ｓ３４の処理でＲＡＭ５１内のマクロ用ファイルに記憶保存された操作マクロ確認用データ（Ｓ３２の処理で表示器２１に表示させた画面データ）が１画面分ずつ所定時間だけ表示器２１に順次表示される。
【００３７】
図８は、Ｓ３２またはＳ１０２の処理で表示器２１に表示される表示画面の一例を示す説明図である。
Ｓ３２の処理で表示器２１に表示画面が表示される際に、Ｌモード対応ファクシミリのユーザーは、まず、マクロ登録開始ボタンを操作したら、図８（Ａ）に示す表示画面を見ながら、図２に示すカーソル移動ボタン２２ｃを操作して「２．メニューリスト」を選択指示し、次に、図８（Ｂ）に示す表示画面を見ながらカーソル移動ボタン２２ｃを操作して「２．金融、証券、保険」を選択指示し、続いて、図８（Ｃ）に示す表示画面を見ながらカーソル移動ボタン２２ｃを操作して「２．証券」を選択指示し、次に、図８（Ｄ）に示す表示画面を見ながらカーソル移動ボタン２２ｃを操作して「１．○○証券」を選択指示し、続いて、図８（Ｅ）に示す表示画面を見ながらカーソル移動ボタン２２ｃを操作して「２．株価速報」を選択指示し、次に、図８（Ｆ）に示す表示画面を見ながらカーソル移動ボタン２２ｃを操作して「１．銘柄コードで検索」を選択指示し、次に、図８（Ｇ）に示す表示画面を見ながらカーソル移動ボタン２２ｃを操作して「１．東証」を選択指示し、続いて、図８（Ｈ）に示す表示画面を見ながら図２に示すテンキーを操作して銘柄コードを入力し、次に、図８（Ｉ）に示す表示画面を見て所望の株価情報を確認したら、マクロ登録終了ボタンを操作し、図８（Ｊ）に示す表示画面を見て、Ｌモードに関する操作を終了する場合は、図２に示すＬボタン２２ｂを操作する。
【００３８】
また、Ｓ１０２の処理で表示器２１に表示画面が表示される際に、Ｌモード対応ファクシミリのユーザーが操作手順確認ボタンを操作し、Ｓ４６の処理で操作手順確認ボタンの操作が判定されると（Ｓ４６：Ｙｅｓ）、図８（Ａ）〜図８（Ｊ）に示す表示画面がそれぞれ所定時間だけ順次表示される。
【００３９】
ところで、ＣＰＵ５７は、Ｓ３８の処理でマクロ登録終了ボタンが操作され（Ｓ３８：Ｙｅｓ）、その後に、「マクロ実行ボタン」が操作された場合には、ＲＡＭ５１内のマクロ用ファイルに記憶保存されている連続した操作内容からなる操作手順を順次読み出し、その読み出した操作手順を実行する。
ここで、「マクロ実行ボタン」として専用のボタンを設けておいてもよく、ボタン類２２を構成する各ボタンまたは子機に配設されたボタン類のうち任意のものを「マクロ実行ボタン」と兼用してもよい。
このように、Ｌモード対応ファクシミリの本体２０は、ボタン類２２を構成するいずれかのボタンまたは子機に配設されたボタン類を構成するいずれかのボタンにより入力された一連の操作内容からなる操作手順をＲＡＭ５１内のマクロ用ファイルに予め記憶保存（登録）しておき、その操作手順を後で読み出して（呼び出して）実行させることが可能なマクロ機能を備えている。
【００４０】
［第１実施形態の作用・効果］
以上詳述したように、本第１実施形態において、ＣＰＵ５７は、ＮＣＵ５６とＬモードゲートウェイ１６との公衆電話回線１５を介した回線接続を切断させ（Ｓ４２）、その後に、操作手順確認ボタンが操作されると（Ｓ４６：Ｙｅｓ）、操作手順確認表示処理（Ｓ４８）を実行し、Ｓ３４の処理でＲＡＭ５１内のマクロ用ファイルに記憶保存された操作マクロ確認用データ（Ｓ３２の処理で表示器２１に表示させた画面データ）を１画面分ずつ所定時間だけ表示器２１に順次表示させる（Ｓ１０２，Ｓ１０４）。
【００４１】
つまり、本第１実施形態では、操作手順確認ボタンにより操作手順の確認動作がユーザーから指示されると、ＮＣＵ５６とＬモードゲートウェイ１６との公衆電話回線１５を介した回線接続を一旦切断させた状態で、ＲＡＭ５１内のマクロ用ファイルに記憶保存された操作マクロ確認用データ（操作手順の設定内容）が読み出され、その操作マクロ確認用データが表示器２１に表示されるという確認動作が実行される。
【００４２】
従って、本第１実施形態によれば、マクロ機能を用いて登録された連続する一連の操作手順の設定内容をユーザーが確認する際に、ＮＣＵ５６とＬモードゲートウェイ１６との公衆電話回線１５を介した回線接続を切断するため、その確認中にも公衆電話回線１５の使用料金（電話料金）が課金される従来の形態に比べて、無駄な課金が回避されることから通信コストを削減することができる。
【００４３】
【００４４】
【００４５】
【００４６】
【００４７】
【００４８】
【００４９】
【００５０】
［別の実施形態］
ところで、本発明は上記実施形態に限定されるものではなく、以下のように具体化してもよく、その場合でも、上記実施形態と同等もしくはそれ以上の作用・効果を得ることができる。
（１）上記実施形態では、操作手順、操作マクロ確認用データ、日時のデータをＲＡＭ５１内に設定されたマクロ用ファイルに記憶保存させている。
しかし、ＥＥＰＲＯＭ５２内にマクロ用ファイルを設定し、そのＥＥＰＲＯＭ５２のマクロ用ファイルに、操作手順、操作マクロ確認用データ、日時のデータを記憶保存させるようにしてもよい。
【００５１】
（２）上記実施形態では、Ｓ１０２の処理において操作マクロ確認用データを表示器２１に表示させるようにしている。
しかし、操作マクロ確認用データを、表示器２１に表示させるだけでなく、スピーカ４８から音声にて報知するようにしてもよく、モータ４２およびサーマルヘッド４３からなるプリンタを用いて印刷用紙に印刷してもよい。また、サーマルヘッド４３をインクジェットヘッドやレーザーエンジンに置き代えてもよい。
【００５２】
（３）上記実施形態は、Ｌモード対応の各種通信機器１１の一例としてＬモード対応ファクシミリに具体化したものである。
しかし、Ｌモード対応の各種通信機器１１であれば、どのような通信機器（例えば、Ｌモード対応電話機、ＩＣカード公衆電話機など）に適用してもよい。
【００５３】
（４）上記実施形態はＬモード対応の各種通信機器１１に適用したものである。
しかし、本発明は、Ｌモードに限らず、どのような形態の通信システム（例えば、ＮＴＴ社が提供するｉモード、インターネット網を利用した各種通信システム、インターネット網以外の各種情報通信ネットワーク網（各種ＬＡＮ（Local Area Network）、バス構造のＬＡＮによるイーサネット）など）を利用する通信装置に適用してもよい。
そして、当該通信装置は、どのようなものでもよい（例えば、電話機、ファクシミリ、各種情報機器（携帯情報端末、モデムを備えたパーソナルコンピュータなど））。
【００５４】
尚、上述した［特許請求の範囲］および［課題を解決するための手段および発明の効果］に記載した構成要素と、［発明の実施の形態］に記載した構成部材との対応関係は以下のようになっている。
「通信装置」は、Ｌモード対応の各種通信機器１１およびＬモード対応ファクシミリの本体２０に該当する。
「通信条件および通信機能の設定内容」は、Ｌモード対応ファクシミリの本体２０のボタン類２２を構成する各ボタンまたは子機に配設されたボタン類を構成する各ボタンの操作により設定される操作内容に該当する。
「設定入力手段」は、ボタン類２２、パネルＧＡ４１、子機用ＲＦユニット５３と、ＣＰＵ５７が実行するＳ１０，Ｓ１２，Ｓ１４，Ｓ３６，Ｓ３８，Ｓ４４，Ｓ４６，Ｓ２０８の処理とに該当する。
【００５５】
「記憶手段」は、ＲＡＭ５１内またはＥＥＰＲＯＭ５２内に設定されているマクロ用ファイルに該当する。
「実行手段」は、ＣＰＵ５７に該当する。
「回線接続手段」は、ＡＦＥ４６，クロスポイントスイッチ５４，ＮＣＵ５６，ＦＡＸ・データモデム６０に該当する。
「回線切断手段」は、ＡＦＥ４６，クロスポイントスイッチ５４，ＮＣＵ５６，ＦＡＸ・データモデム６０と、ＣＰＵ５７が実行するＳ１６，Ｓ４２の処理とに該当する。
「報知手段」は、パネルＧＡ４１および表示器２１、またはＡＦＥ４６，メロディＩＣ４７，スピーカ４８、ＣＰＵ５７、またはモータ４２、サーマルヘッド４３、記録回路５８に該当する。
【００５６】
「指示手段」は、ボタン類２２を構成する操作手順確認ボタン、パネルＧＡ４１と、ＣＰＵ５７が実行するＳ４６の処理とに該当する。
「確認手段」は、ＣＰＵ５７が実行する操作手順確認表示処理（Ｓ４８，Ｓ１０２，Ｓ１０４）とに該当する。
「プログラム」は、ＣＰＵ５７が実行するＳ１０〜Ｓ５０，Ｓ１０２，Ｓ１０４，Ｓ２０２〜Ｓ２１２の処理に該当する。
「記録媒体」は、ＲＯＭ５０に該当する。
【００５７】
【図面の簡単な説明】
【図１】Ｌモードにおける通信システムの概略構成を示すブロック図。
【図２】本発明を具体化した第１実施形態におけるＬモード対応ファクシミリの本体の外観を示す平面図。
【図３】Ｌモード対応ファクシミリの本体の電気的構成を示すブロック回路図。
【図４】第１実施形態において、本体に備えられたＣＰＵが実行する主な制御処理の流れを示すフローチャート。
【図５】第１実施形態において、本体に備えられたＣＰＵが実行する主な制御処理の流れを示すフローチャート。
【図６】第１実施形態において、本体に備えられたＣＰＵが実行する主な制御処理の流れを示すフローチャート。
【図７】操作手順確認表示処理の流れを示すフローチャート。
【図８】第１実施形態における表示画面の一例を示す説明図。
【符号の説明】
１０…Ｌモードにおける通信システム
１１…Ｌモード対応の各種通信機器
１５…公衆電話回線
１６…Ｌモードゲートウェイ
２０…Ｌモード対応ファクシミリの本体
２１…表示器
２２…ボタン類
４１…パネルＧＡ
４２…モータ
４３…サーマルヘッド
４６…ＡＦＥ
４７…メロディＩＣ
４８…スピーカ
５０…ＲＯＭ
５１…ＲＡＭ
５２…ＥＥＰＲＯＭ
５３…子機用ＲＦユニット
５４…クロスポイントスイッチ
５６…ＮＣＵ
５７…ＣＰＵ
５８…記録回路
６０…ＦＡＸ・データモデム
【図１】
0003778039.tif 000002
【図２】
0003778039.tif 000003
【図３】
0003778039.tif 000004
【図４】
0003778039.tif 000005
【図５】
0003778039.tif 000006
【図６】
0003778039.tif 000007
【図７】
0003778039.tif 000008
【図８】
0003778039.tif 000009